(57)【要約】      （修正有）【課題】本体から容易に脱着可能であり、軽金属製フレームに取り付けてある不繊布フィルターの交換も簡単で、しかも換気機能を害さず効果的に油汚れを防止することができる油汚れ防止フィルター取付フレームを提供する。【解決手段】フレーム３とフレーム全体に当接した粗い難燃性の使い捨て不繊布フィルター６をそなえ、レンジフード開口部全体を外側から覆い固定することを特徴とする。フレーム３の内側面にフレーム３の自重を十分支える為の永久磁石を四隅にビス等で固定をし、目の粗い難燃性の使い捨て不織布フィルター６をフレーム３全体に外側から被い、フレーム３全周の外側から内側に不織布フィルター６を折り返して当接させるために、フレーム３の内側面全周に面ファスナーのオスを両面テープまたは接着剤で接着させる。【選択図】図１
0003152118.tif 000002
【実用新案登録請求の範囲】
【請求項１】
各種型のレンジフード本体の吸い込み口全体を被う為の目の粗い難燃性の使い捨て不繊布フィルターを取り付けた軽金属製フレームをレンジフードに当接したことを特徴とするレンジフード用油汚れ防止フィルター取付フレームである。
【請求項２】
軽金属製フレーム本体がレンジフードに当接させる為に永久磁石をフレームの四隅にビス又は接着剤で固定することを特徴とする請求項１のレンジフード油汚れ防止フィルター取付フレームである。
【請求項３】
軽金属製フレームの内側全周に面ファスナーのオスを両面テープまたは接着剤で接着させ、目の粗い難燃性の使い捨て不織布フィルターをフレーム全体に外側から被い、周端を内側に折り返して、面ファスナーに当接させ止めることを特徴とする請求項１のレンジフード用油汚れ防止フィルター取付フレームである。
【請求項４】
軽金属製フレームはレンジフードの巾が６００・７００・７５０・９００ｍｍのほぼこの４種類に選定されているが各メーカーの各種型式によってレンジフードの奥行きの長さ及び角度が異なる為、自在に合わせられるように調整穴が数多くあけてある長いＡ型板棒と短いＢ型板棒を重ね合せレンジフードの奥行きの全長にスライド調整合せをしてビス２点止めで固定したＦ型フレーム及びＧ型フレームを特徴とする請求項１のレンジフード用油汚れ防止フィルター取付フレームである。
【考案の詳細な説明】
【技術分野】
【０００１】  本考案は不繊布フィルターを容易に着脱できる油汚れ防止フィルター付フレームをレンジフードの下部全体に被うように当接固定し、内部全体の油汚れを防止することに関するものである。
【背景技術】
【０００２】  レンジフード内部に取り付けてあるグリスフィルターに使い捨て不繊布フィルターを直接当接させるものやアルミ箔製枠付不繊布フィルターを当接さて油汚れを防止するものである。【０００３】  この方法は、グリスフィルターのみ、油汚れを防止することはできるが、レンジフードの内側全体の汚れは防げない。これを洗剤等で清掃することが高所作業のため大変な労力負担で極めて大きな問題であり清掃を怠りがちになり、その結果付着した油が油滴となって垂れる恐れがあり料理中の火が引火して大事故が発生する。
【考案の概要】
【考案が解決しようとする課題】
【０００４】  本考案は、このような点に着目してなされたものであり、レンジフードのグリスフィルター及び本体の内側に油が付着することを本考案の油汚れ防止フィルター取付フレームで全体を被い、簡単に取付け取外しする事ができると共に換気機能を害さずしかも効果的に油汚れを防止することができるレンジフード用油汚れ防止フィルター取付フレームを提供することを目的とする。
【課題を解決するための手段】
【０００５】  上記目的に沿う本考案の構成は、浅・深型等レンジフードの下端開口部全体に目の粗い難燃性の使い捨て不繊布フィルターを当接したフィルター付フレームで被い両者を永久磁石で当接固定することを特徴とする。【０００６】  要するに本考案は使い捨て難燃性不繊布フィルターをフレームに容易に着脱できる様に当接したものをレンジフードに永久磁石で固定することを要旨とするものであるが、従来レンジフード内のグリスフィルター部のみであり本体全体を被うという発想は全く知られていない。
【考案の効果】
【０００７】  以上述べたごとく本考案によればレンジフードを使い捨て不繊布フィルターが当接されているフレームで全体を被うという極めて簡単な構成になっており汚れた不繊布フィルターの交換はフレームを簡単に外すことが出来るので、床面で簡単に誰でもが交換作業を行うことができ従来のように高所作業での交換でお年寄りや主婦での交換が難しいことも解消される。【０００８】  また、レンジフード内のグリスフィルター以外に本体内側の汚れも高所での洗浄作業が不要となる他、不繊布フィルターの面積が大きいので従来よりもフィルターの交換度数が少なくなる等多くの利点を併有する。
【図面の簡単な説明】
【０００９】
【図１】  本考案の実施例を示す油汚れ防止フィルター付フレームを取付けた巾７００・７５０・９００ｍｍの深型レンジフード１ａの見上斜視図である。
【図２】  本考案の実施例を示す油汚れ防止フィルター付フレームを取付けた巾６００ｍｍの深型レンジフード１ｂの見上斜視図である。
【図３】  本考案の実施例を示す油汚れ防止フィルター付フレームを取付けた巾７００・７５０・９００ｍｍの２段式フード深型レンジフード１ｃの見上斜視図である。
【図４】  本考案の実施例を示す油汚れ防止フィルター付フレームを取付けた巾６００ｍｍの平型レンジフード１ｄの見上斜視図である。
【図５】  本考案の実施例を示す油汚れ防止フィルター付フレームを取付けた浅型レンジフード２の見上斜視図である。
【図６】  本考案の示す油汚れ防止フィルター取付フレームを取付けた深型レンジフード１ａ及び１ｂの断面図である。
【図７】  本考案の示す油汚れ防止フィルター取付フレームを取付けた２段式フード深型レンジフード１ｃの断面図である。
【図８】  本考案の示す油汚れ防止フィルター取付フレームを取付けた平型レンジフード１ｄの断面図である。
【図９】  本考案の示す油汚れ防止フィルター取付フレームを取付けた浅型レンジフード２の断面図である。
【図１０】  本考案に使用する巾７００・７５０・９００ｍｍの深型レンジフード１ａに装着する油汚れ防止フィルター取付フレームに当接固定された面ファスナー４と永久磁石５及び難燃性合成繊維不繊布フィルター６を示す見下げ斜視図である。
【図１１】  本考案に使用する巾７００・７５０・９００ｍｍの２段式フード深型レンジフー１ｃに装着する油汚れ防止フィルター取付フレームに当接固定された面ファスナー４と永久磁石５及び難燃性合成繊維不繊布フィルター６を示す見下げ斜視図である。
【図１２】  本考案に使用する巾６００ｍｍの浅型・平型レンジフード２・１ｄに装着する深型油汚れ防止フィルター取付フレームに当接固定された面ファスナー４と永久磁石５及び難燃性合成繊維不繊布フィルター６を示す見下げ斜視図である。
【図１３】  本考案に使用する巾６００ｍｍの深型レンジフード１ｂに装着する油汚れ防止フィルター取付フレームに当接固定された面ファスナー４と永久磁石５及び難燃性合成繊維不繊布フィルター６を示す見下げ斜視図である。
【図１４】  本考案に使用する巾６００ｍｍの深型レンジフード１ｄに装着する油汚れ防止フィルター取付フレームに当接固定された面ファスナー４と永久磁石５を示す部分詳細の見下げ斜視図である。
【図１５】  本考案に使用する巾７００・７５０・９００ｍｍの深型レンジフード１ａに装着する油汚れ防止フィルター取付フレームに当接固定された面ファスナー４及び永久磁石５を示す部分詳細の見下げ斜視図である。
【図１６】  本考案に使用する浅型・平型レンジフード２・１ｄに装着する油汚れ防止フィルター取付フレームに当接固定された面ファスナー４及び永久磁石５を示す部分詳細の見下げ斜視図である。
【図１７ａ】  請求項４で示す収縮Ｆ型フレーム３ｃに対するＡ型フレーム３ｆの平面図。
【図１７ｂ】  請求項４で示す収縮Ｆ型フレーム３ｃに対するＢ型フレーム３ｇの平面図。
【図１７ｃ】  請求項４で示す収縮Ｆ型フレーム３ｃに対するＡ型フレームとＢ型フレームを組合せ後のＦ型フレーム３ｃにＣ型フレーム３ａとＤ型フレーム３ｂ及び横補強Ｅ型フレーム３ｄを組み合わせた詳細平面図。
【図１７ｄ】  請求項４で示す収縮Ｆ型フレーム３ｃに対するＡ型フレームとＢ型フレームを組合せ後のＦ型フレーム３ｃにＣ型フレーム３ａとＤ型フレーム３ｂ及び横補強Ｅ型フレーム３ｄを組み合わせた断面図。
【図１７ｅ】  請求項４で示す収縮Ｆ型フレーム３ｃに対するＡ型フレームとＢ型フレームを組合せ後の縦補強Ｇ型フレーム３ｅにＣ型フレーム３ａとＤ型フレーム３ｂ及び横補強Ｅ型フレーム３ｄを組み合わせた平面図。
【図１８ａ】  請求項１で示す油汚れ防止フィルター取付フレーム３の部材巾７００・７５０・９００ｍｍのＣ型フレーム３ａとＤ型フレーム３ｂの平面図。
【図１８ｂ】  請求項１で示す油汚れ防止フィルター取付フレーム３の部材巾６００ｍｍのＣ型フレーム３ａとＤ型フレーム３ｂの平面図。
【図１８ｃ】  求項１で示す油汚れ防止フィルター取付フレーム３の部材巾７００・７５０・９００ｍｍのＥ型フレーム３ｄの平面図。
【図１８ｄ】  請求項１で示す油汚れ防止フィルター取付フレーム３の部材巾６００ｍｍのＥ型フレーム３ｄの平面図。
【考案を実施するための形態】
【００１０】  この本考案は深型、浅型等のレンジフード下端開口縁の周囲全体にフレームの内側全周に接着させてある面ファスナー雄に使い捨て難燃性不繊布フィルターを外側よりフレームを覆うようにその面ファスナーに巻きつけて当接させたフィルター付フレームを自重で脱落しないための強度な永久磁石を取付けてレンジフードに当接固定する極めて容易に取付け取外しができるレンジフード用油汚れ防止フィルター取付フレームである。
【実施例】
【００１１】  次に本考案の実施例を図面に基づいて説明する。
図１・図２・図３に示すレンジフードは、深型レンジフード１ａ・１ｂ・１ｃで図４に示すレンジフードは、平型レンジフード１ｄで図５に示すレンジフードは、浅型レンジフード２で各々これらの下端開口部全体を難燃性の不繊布フィルター６を当接されたフィルター取付フレームに自重で脱落しないように取り付けた強度な永久磁石４で両者を当接固定した例を示す。【００１２】  図６・図７は、深型レンジフード１ａ・１ｂ・１ｃにフレームを取付けた断面を示し，図８は、平型レンジフード１ｄにフレームを取付けた断面を示し，図９は浅型レンジフード２にフレームを取付けた断面を示した各々の例です。【００１３】  図１０・図１１・図１２・図１３に示すフレームは、目の粗く形成されたガラス繊維不繊布フィルター６若しくは難燃性合成繊維不繊布フィルター６を外からフレーム全体を覆い当接した例を示す。【００１４】  図１４・図１５・図１６に示す取付けられた面ファスナー雄４は、フレームの外周表面側に両面テープ又は接着剤で固定した例を示す。【００１５】  図１４・図１５・図１６に示す取付けられた永久磁石５は、フレームの自重でレンジフードから脱落しないために左右の表面側前後にビス等で固定した例を示す。【００１６】  図１４・図１５に示すフレームは、深型レンジフード１ａ・１ｂ・１ｃの各手前の折り上がった角度に合わせたもので、折曲がった部分に横補強フレーム３ｄを当接させ当接部分にビスで固定した例を示す。【００１７】  図１６に示すフレームは、平型レンジフード１ｄ及び浅型レンジフード２で横補強フレーム３ｄを適当な位置に合せ当接させビスで固定した例を示す。【００１８】  図１・図３・図１０・図１１・図１５に示す幅が７００・７５０・９００ｍｍのフレームは、幅の真中に、更に縦補強フレーム３ｅを前後両端に合せ接合しビスで固定し、この補強を入れることで不繊布フィルター６の張りを良くし、またレンジフード内へ吸い込まれないように保護する役目もする。
【符号の説明】
【００１９】１ａ            巾７００・７５０・９００ｍｍ深型レンジフード
１ｂ            巾６００ｍｍ深型レンジフード
１ｃ            巾７００・７５０・９００ｍｍ深型レンジフード
１ｄ            巾６００ｍｍ平型レンジフード
２              浅型レンジフード
３              全体フレーム
３ａ            Ｃ型フレーム
３ｂ            Ｄ型フレーム
３ｃ            Ｆ型フレーム
３ｄ            横補強Ｅ型フレーム
３ｅ            縦補強Ｇ型フレーム
３ｆ            Ａ型フレーム
３ｇ            Ｂ型フレーム
４              面ファスナーオス
５              永久磁石
５ａ            永久磁石固定穴
５ｂ            永久磁石固定ビス
６              不繊布フィルター
７ａ            フレーム固定丸穴
７ｂ            フレーム固定長方形穴
７ｃ            フレーム固定ビス
８              フレーム折り曲げＶカット溝
【図１】
0003152118.tif 000003
【図２】
0003152118.tif 000004
【図３】
0003152118.tif 000005
【図４】
0003152118.tif 000006
【図５】
0003152118.tif 000007
【図６】
0003152118.tif 000008
【図７】
0003152118.tif 000009
【図８】
0003152118.tif 000010
【図９】
0003152118.tif 000011
【図１０】
0003152118.tif 000012
【図１１】
0003152118.tif 000013
【図１２】
0003152118.tif 000014
【図１３】
0003152118.tif 000015
【図１４】
0003152118.tif 000016
【図１５】
0003152118.tif 000017
【図１６】
0003152118.tif 000018
【図１７ａ】
0003152118.tif 000019
【図１７ｂ】
0003152118.tif 000020
【図１７ｃ】
0003152118.tif 000021
【図１７ｄ】
0003152118.tif 000022
【図１７ｅ】
0003152118.tif 000023
【図１８ａ】
0003152118.tif 000024
【図１８ｂ】
0003152118.tif 000025
【図１８ｃ】
0003152118.tif 000026
【図１８ｄ】
0003152118.tif 000027
【手続補正書】
【提出日】平成21年4月23日(2009.4.23)
【手続補正１】
【補正対象書類名】実用新案登録請求の範囲
【補正対象項目名】全文
【補正方法】変更
【補正の内容】
【実用新案登録請求の範囲】
【請求項１】
フレーム（３）とフレーム全体に当接した粗い難燃性の使い捨て不繊布フィルター（６）をそなえ、レンジフード開口部全体を外側から覆い固定することを特徴とするレンジフード用油汚れ防止フィルター取付フレーム。
【請求項２】
前記フレーム（３）の内側面にこのフレームの自重を十分支える為の永久磁石を四隅にビス等で固定をしたことを特徴とする請求項１のレンジフード用油汚れ防止フィルター取付フレーム。
【請求項３】
目の粗い難燃性の使い捨て不織布フィルター（６）を前記フレーム全体に外側から被い、フレーム全周の外側から内側に不織布フィルター（６）を折り返して当接させるためにフレーム（３）の内側面全周に面ファスナーのオスを両面テープまたは接着剤で接着させたことを特徴とする請求項１のレンジフード用油汚れ防止フィルター取付フレーム。
【請求項４】
前記フレーム（３）は、各種レンジフードの開口部奥行きの長さに合わせる調整用のフレーム固定丸穴（７ａ）を２３箇所あけたＡ型フレーム（３ｆ）とフレーム固定長方形穴（７ｂ）を２箇所あけたＢ型フレーム（３ｇ）を重ね合せて長さ調整後に前記フレーム固定丸穴（７ａ）とフレーム固定長方形穴（７ｂ）をビス２点止めで固定したＦ型フレーム（３ｃ）で形成したことを特徴とする請求項１のレンジフード用油汚れ防止フィルター取付フレーム。